(57)【要約】      （修正有）【課題】鍋蓋を出し入れする際に、使用者が腰を屈める量を低減させることで、鍋蓋を出し入れする際の作業性を向上させることができるキッチン用フロアキャビネットを提供する。【解決手段】キッチン用フロアキャビネットＦＣは、前面が開口したキャビネット本体３と、前記キャビネット本体３の前後方向に出し入れ可能に構成され、上面が開口した箱状の外引出し５と、前記外引出し５が収容されている前記キャビネット本体３内の空間に配置されるとともに、前記外引出し５の底板５３よりも上方に配置され、かつ、前後方向に移動可能に構成された、少なくとも上面が開口した内引出し７と、を備え、前記内引出し７上に、複数の鍋蓋が立った状態を維持できるように支持する支持手段を設けた。【選択図】図１
2016067472.tif 000002
【特許請求の範囲】
【請求項１】
前面が開口したキャビネット本体と、
前記キャビネット本体の前後方向に出し入れ可能に構成され、上面が開口した箱状の外引出しと、
前記外引出しが収容されている前記キャビネット本体内の空間に配置されるとともに、前記外引出しの底板よりも上方に配置され、かつ、前後方向に移動可能に構成された、少なくとも上面が開口した内引出しと、
を備え、
前記内引出し上に、複数の鍋蓋が立った状態を維持できるように支持する支持手段を設けたことを特徴とするキッチン用フロアキャビネット。
【請求項２】
前記支持手段は、鍋蓋の上面および下面が側方を向くようにして鍋蓋が立った状態を維持できるよう鍋蓋を支持する支持具を、前記キャビネット本体の横幅方向に横並びになるよう前記内引出し上に配置して構成されていることを特徴とする請求項１に記載のキッチン用フロアキャビネット。
【請求項３】
前記内引出しの前面は開口しており、
さらに、前記内引出しに配置された前記支持具の上辺には、鍋蓋の摘み部を引っ掛けるための凹部が設けられており、前記凹部よりも前方側の前記上辺は、前記凹部よりも後方側の前記上辺より高さが低くなるよう構成されていることを特徴とする請求項２に記載のキッチン用フロアキャビネット。
【発明の詳細な説明】
【技術分野】
【０００１】
本発明は、キッチン用フロアキャビネットに関する。
【背景技術】
【０００２】
従来、キッチン用フロアキャビネットの引出し内に鍋蓋を収容する際は、特許文献１に記載されているように、引出しの底板上に、フライパンや鍋蓋を立てて収容させることが可能なラックを設置して複数の鍋蓋を収容していた。このように、鍋蓋を立てて収容することで、鍋蓋を寝かせて複数枚積み重ねて収容する場合に比べて、鍋蓋を格段に取り出しやすくなる。
【先行技術文献】
【特許文献】
【０００３】
【特許文献１】特開２０１２−０８５８４５号公報
【発明の概要】
【発明が解決しようとする課題】
【０００４】
しかし、特許文献１に記載の鍋蓋の収容方法では、底板上に設置されたラックに鍋蓋を収容しているため、鍋蓋が引き出し内の低い位置に収容されることとなる。したがって、使用者は鍋蓋を出し入れする際に腰を屈めて取り出すこととなるため、出し入れ作業性については、改善の余地があった。
【０００５】
本発明は、上記問題に鑑みてなされたものであり、鍋蓋を出し入れする際に、使用者が腰を屈める量を低減させることで、鍋蓋を出し入れする際の作業性を向上させることができるキッチン用フロアキャビネットを提供することを目的とする。
【課題を解決するための手段】
【０００６】
上記課題を解決するために、本発明に係るキッチン用フロアキャビネットは、前面が開口したキャビネット本体と、前記キャビネット本体の前後方向に出し入れ可能に構成され、上面が開口した箱状の外引出しと、前記外引出しが収容されている前記キャビネット本体内の空間に配置されるとともに、前記外引出しの底板よりも上方に配置され、かつ、前後方向に移動可能に構成された、少なくとも上面が開口した内引出しと、を備え、前記内引出し上に、複数の鍋蓋が立った状態を維持できるように支持する支持手段を設けたことを特徴とする。
【０００７】
本発明に係るキッチン用フロアキャビネットにおいては、外引出しの底板よりも上方に配置された内引出し上に、複数の鍋蓋が立った状態を維持できるように支持する支持手段を設けたため、鍋蓋を底板近傍に収容する場合よりも高い位置に鍋蓋を立てて収容できるようになる。これにより、鍋蓋の出し入れを行う際に、使用者が腰を屈める量を低減させることができるため、鍋蓋の出し入れ作業の作業性を向上させることができる。
【０００８】
また、本発明に係るキッチン用フロアキャビネットでは、前記支持手段は、鍋蓋の上面および下面が側方を向くようにして鍋蓋が立った状態を維持できるよう鍋蓋を支持する支持具を、前記キャビネット本体の横幅方向に横並びになるよう前記内引出し上に配置して構成されていることも好ましい。
【０００９】
この好ましい態様では、支持具は、鍋蓋の上面および下面が側方を向くようにして鍋蓋が立った状態を維持できるよう鍋蓋を支持し、さらにこの支持具をキャビネット本体の横幅方向に横並びに配置しているため、上面視で鍋蓋が前後方向に縦長となるようにして鍋蓋を立てて内引出し上に収容でき、かつ、複数の鍋蓋をキャビネット本体の横幅方向に横並びに立てて収容できる。これにより、鍋蓋を取り出す際、内引出し上に収容した鍋蓋全体がキャビネット本体前面よりも前方に来る位置まで内引出しを前方向に移動させなくても、前方向に引き出された外引出しの前板とキャビネット本体の前面との間から、複数の鍋蓋の前方側を使用者が視認することができる。したがって、内引出しを移動させている途中で取り出し対象としている鍋蓋の位置を把握することができ、より素早く対象の鍋蓋を取り出すことができる。また、鍋蓋を出し入れする際には、内引出しの奥まで手を伸ばす必要がないため、より作業性を向上させることができる。
【００１０】
また、本発明に係るキッチン用フロアキャビネットでは、前記内引出しの前面は開口しており、さらに、前記内引出しに配置された前記支持具の上辺には、鍋蓋の摘み部を引っ掛けるための凹部が設けられており、前記凹部よりも前方側の前記上辺は、前記凹部よりも後方側の前記上辺より高さが低くなるよう構成されていることも好ましい。
【００１１】
この好ましい態様では、支持具の上辺における凹部よりも前方側の上辺は、後方側の上辺よりも高さが低くなるよう構成されているため、鍋蓋を出し入れする際に、支持具に対して前後方向に鍋蓋を移動させることで鍋蓋を支持具に引っ掛けたり、支持具から鍋蓋を取り出したりすることができる。したがって、鍋蓋を取り出す際、内引出し上に収容した鍋蓋全体がキャビネット本体前面よりも前方に来る位置まで内引出しを前方向に大きく移動させていない状態、すなわち、鍋蓋の上方にキャビネット本体の天板や仕切り板、シンク、コンロ等が存在する状態でも、前後方向に鍋蓋を移動させることによって、それらに鍋蓋が衝突しないよう内引出しから鍋蓋を取り出すことが可能となる。同様に、鍋蓋を内引出しに収容する際も、内引出しを前方向へ大きく移動させなくても、前後方向に鍋蓋を移動させることによって、鍋蓋を収容することが可能となる。このように、内引出しを大きく移動させることなく鍋蓋の出し入れを行うことが可能となるため、鍋蓋の出し入れ作業の作業性を向上させることができる。
【００１２】
また、支持具の上辺に設けられた凹部よりも前方側の上辺の方が後方側の上辺より高さが低い、言い換えると、凹部よりも後方側の上辺の方が前方側の上辺よりも高さが高いため、鍋蓋を内引出しに収容する際に、凹部よりも後方かつ、凹部よりも前方側の上辺に比べて高い位置にある支持具の辺に鍋蓋の摘み部が当たり、支持具後端側への鍋蓋の移動が遮られるため、誤って鍋蓋を支持具よりも後方に落下させてしまうことを防止でき、より、鍋蓋収容時の作業性を向上させることができる。
【発明の効果】
【００１３】
本発明のキッチン用フロアキャビネットによれば、鍋蓋を出し入れする際に、使用者が腰を屈める量を低減させることで、鍋蓋を出し入れする際の作業性を向上させることができる。
【図面の簡単な説明】
【００１４】
【図１】本発明の実施形態に係るキッチン用フロアキャビネットの斜視図。
【図２】図１に示したキッチン用フロアキャビネットの支持具の斜視図。
【図３】使用者が鍋蓋を内引出しから出し入れする様子を模式的に示す上面図。
【図４】使用者が鍋蓋を内引出しから取り出す様子を模式的に示す側面図。
【図５】使用者が鍋蓋を内引出しに収容する様子を模式的に示す側面図。
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
本発明の実施形態であるキッチン用フロアキャビネットについて図を参照しながら説明する。図１は、本発明の実施形態に係るキッチン用フロアキャビネットＦＣの斜視図である。
【００１７】
図１に示すように、キッチン用フロアキャビネットＦＣは、キャビネット本体３と外引出し５を有する。キャビネット本体３は、右側板３１、左側板３２、底板３３、背板３４、仕切板３５を有しており、これらの板をネジ等で連結することによって、キャビネット本体３は、前面が開口した箱型に形成されている。なお、右側板３１、左側板３２、および仕切板３５によって囲まれる仕切板３５上方の空間Ｓ１には、図示しない引出し、コンロ、またはシンク等が設けられる。
【００１８】
一方、外引出し５は、右側板５１、左側板５２、底板５３、背板５４、前板５５を有しており、これらの板をネジ等で連結することによって、引出し５は、上面が開口した箱型に形成される。さらに、引出し５は、ギャラリーバー５６を有している。前板５５は、右側板５１、左側板５２、および背板５４よりも高さが高く設けられており、前板５５および背板５４は、底板５３、右側板５１、左側板５２のみで連結されるのではなく、ギャラリーバー５６によっても連結されている。これにより、前板５５が前方側に傾斜してしまうことを抑制している。
【００１９】
また、外引出し５は、キャビネット本体３に対して、前後方向に出し入れ可能に構成されている。より具体的には、右側板５１および左側板５２には、図示しない奥行き方向に延びるインナーレールが設置されており、キャビネット本体３に設置された図示しない奥行き方向に延びるアウターレールと係合させることにより、前後方向に出し入れ可能に構成されている。
【００２０】
また、キッチン用フロアキャビネットＦＣは、外引出し５の底板５３よりも上方に配置され、かつ、前後方向に移動可能に構成された内引出し７を有する。内引出し７は、その全閉状態において、外引出し５が収容されるキャビネット本体３の空間Ｓ２内に収まるように設けられている。内引出し７は、木製、もしくは、樹脂製の薄板により構成され、内引出し７の幅方向の両端側には、図示しない奥行き方向に延びるインナーレールが設置されており、キャビネット本体３に設置された図示しない奥行き方向に延びるアウターレールと係合させることにより、前後方向に出し入れ可能に構成されている。本実施形態における内引出し７は、外引出し５の前後方向への移動に連動して移動するものではなく、外引出し５を前方向に引き出した状態で、使用者Ｈが内引出し７を自らの手で任意の位置に移動させるものである。なお、本実施形態における内引出し７は、平板のみにより構成されているが、本発明はこれに限られるものではなく、例えば、上面および前面が開口した箱状の引き出しを内引出し７としても構わない。
【００２１】
また、内引出し７上には、鍋蓋を支持するための支持具９が複数固定されている。この支持具９の構造について、図２を参照しながら説明する。図２は、支持具９の斜視図である。支持具９は鍋蓋を支持する支持部９１と支持部９１を内引出し７に固定するための基部９２を有している。支持具９は、樹脂からなるものであり、支持部９１と基部９２は一体に形成されている。
【００２２】
支持部９１の上方には、鍋蓋（Ｎ１、Ｎ２、Ｎ３、Ｎ４）の摘み部（Ｎ１ａ、Ｎ２ａ、Ｎ３ａ、Ｎ４ａ）を引っ掛けるための凹部９１１ｃが設けられている。この凹部９１１ｃは、支持部９１の前後方向における略中央の位置に設けられている。凹部９１１ｃよりも前方側の前方側支持部９１１ｂの上端の高さは、凹部９１１ｃよりも後方側の後方側支持部９１１ａの上端よりも低くなるよう構成されている。この高さの差Ｌは好ましくは３ｃｍ〜５．６ｃｍである。また、前方側支持部９１１ｂの中でも、前方側にある前方側上辺９１１ｄは前方側に向かうにしたがって、下方に傾斜するよう構成されている。また、支持部９１の下部には、前方側と後方側のそれぞれにスリット９１２が設けられている。
【００２３】
一方、基部９２は支持部９１の下端に設けられるものであり、基部９２のうち、スリット９１２の下方に位置する部分には、ネジ６を挿入するための図示しない挿入孔が設けられており、この挿入孔に上方からネジ６を挿入し、ネジ６を内引出し７にねじ込むことにより、支持具９を内引出し７に固定する。なお、後述する図３〜図５においては、４つの支持具９を内引出し７に所定の間隔で固定した形態を示しており、それぞれの支持具９に、鍋蓋Ｎ１、Ｎ２、Ｎ３、Ｎ４がそれぞれ収容される。
【００２４】
続いて、支持具９を使って使用者Ｈが内引出し７上に鍋蓋を出し入れする際の様子について説明する。図３は、使用者Ｈが鍋蓋Ｎ３を内引出し７に対して出し入れする際の様子を模式的に示す上面図である。一方、図４および図５は、使用者Ｈが鍋蓋Ｎ３を内引出し７から取り出す様子および収容する様子をそれぞれ模式的に示す側面図である。なお、図３においては、便宜上、仕切板３５を取り外した様子を示しているが、実際には図３に破線で示しているように仕切板３５は存在するものである。
【００２５】
上述したように、支持具９は、前方側支持部９１１ｂの上端の高さが、後方側支持部９１１ａの上端よりも低くなるよう構成されている。したがって、凹部９１１ｃに鍋蓋Ｎ３を引っ掛ける場合、および、摘み部Ｎ３ａが凹部９１１ｃに引っ掛けられている鍋蓋Ｎ３を取り出す場合のいずれにおいても、鍋蓋Ｎ３を前後方向に移動させることが可能である。したがって、図３〜図５に示すように、使用者Ｈが鍋蓋Ｎ３の摘み部Ｎ３ａを掴んで鍋蓋Ｎ３を内引出し７に対して出し入れする際に、取り出す場合は、取り出し対象としている鍋蓋Ｎ３全体がキャビネット本体３の前面よりも前方にくる全開位置まで内引出し７を引き出さなくても、支持具９の上方にある仕切板３５と鍋蓋Ｎ３が衝突しないよう、鍋蓋Ｎ３を使用者がいる手前方向（前方向）に移動させ、その後、前板５５の近傍で上方に移動させることによって、仕切板３５を避けて鍋蓋Ｎ３を内引出し７からキャビネット本体３外へ取り出すことができる（図４の矢印を参照）。
【００２６】
同様に、鍋蓋Ｎ３を収容する場合においても、内引出し７を全開位置まで引き出すことなく、内引出し７に鍋蓋Ｎ３を収容することができる。具体的には、内引出し７を大きく引き出さしていない状態、すなわち、仕切板３５の下方に、摘み部Ｎ３ａを引っ掛ける支持具９の凹部９１１ｃが位置している状態でも、前板５５の裏面側まで鍋蓋Ｎ３を移動させた後、鍋蓋Ｎ３を支持具９の前方側から奥方向（後ろ方向）に向かって移動させることにより、鍋蓋Ｎ３の摘み部Ｎ３ａを凹部９１１ｃに引っ掛けることができる（図５の矢印を参照）。なお、この際、使用者Ｈからは支持具９の凹部９１１ｃが見えないため、誤って凹部９１１ｃよりも奥側（後方側）まで鍋蓋Ｎ３を移動させようとしたとしても、凹部９１１ｃの後方側から上方に向かって延びる上昇上辺９１１ｅがその移動を妨げるため、鍋蓋Ｎ３を収容する際に、鍋蓋Ｎ３を支持具９よりも後方に落としてしまうことを防止できる。
【００２７】
このように、支持具９を用いることによって、鍋蓋Ｎ３を出し入れする際に、内引出し７を引き出す長さを小さく抑えることができるため、内引出し７を引き出す前に外引出し５を引き出す長さも小さく抑えることができる。したがって、外引出し５および内引出し７の両者に対して引き出す長さを小さく抑えることができるため、調理等の作業中に行われることが多い鍋蓋の出し入れ作業の作業性を向上させることができる。
【００２８】
また、鍋蓋Ｎ１、Ｎ２、Ｎ３、Ｎ４の上面と下面が側方（キャビネット本体３の横幅方向）を向くようにして鍋蓋Ｎ１、Ｎ２、Ｎ３、Ｎ４が内引出し７に収容されるため、鍋蓋を取り出す際に、内引出し７を引き出している途中で、使用者Ｈは、キャビネット本体３の前面よりも前方に露出した複数の鍋蓋Ｎ１、Ｎ２、Ｎ３、Ｎ４の一部分をキャビネット本体３と外引出し５の前板５５との間から確認することができる。したがって、取り出そうとしている鍋蓋Ｎ３が内引出し７上のどこに収容されているかをより素早く把握することができる。このように、より素早く鍋蓋の位置を把握できるため、より鍋蓋の取り出し作業性を高めることが可能となる。
【００２９】
また、支持具９の前方側支持部９１１ｂの前方側上辺９１１ｄは前方側に向かうにしたがって、下方に傾斜するよう構成されているため、支持具９の前端上方には角部がない。したがって、図５に示すように、鍋蓋Ｎ３を収容する際、支持具９に対して前方から鍋蓋Ｎ３を接近させるときに、摘み部Ｎ３ａを握っている使用者Ｈの手が角部にぶつかることを防止することができる。
【００３０】
なお、本実施形態においては、内引出し７単体を使用者Ｈが任意に移動可能な実施形態を説明したが、本発明は、例えば、外引出し５の移動に連動して内引出し７が移動する構造、すなわち、外引出し５を前後方向に移動させることで、内引出し７も同様に前後方向に移動する構造を有するキッチン用フロアキャビネットにおいても、鍋蓋の取り出し作業性を高めることが可能となる。より具体的に説明すると、本発明では、鍋蓋を出し入れするために引き出さなければならない内引出し７の長さを小さく抑えることができるため、鍋蓋を出し入れするために外引出し５を引き出す長さも小さくできる。したがって、鍋蓋の出し入れの際の作業性を向上させることができるものである。
【００３１】
また、本実施形態においては、支持具９が薄板状に形成されているが、例えばフレーム状（すなわち、中空状）に形成されたものでも構わない。
【００３２】
また、本実施形態においては、内引出し７に複数の支持具９（支持手段）を所定の間隔を設けて固定しているが、本発明はこれに限られるものではなく、例えば、内引出し７を前後から挟むようにして、内引出し７の横幅方向に移動自在に内引出し７に取り付けたバーに支持具９を固定し、支持具９を内引出し７の横幅方向に移動できるようにしても構わない。このように移動可能にすることで、収容する鍋蓋の厚みに応じた適切な間隔を隣接し合う支持具９の間に設けることができるため、より内引出し７上のスペースを有効に利用することができる。
【符号の説明】
【００３３】
３：キャビネット本体
３１：右側板
３２：左側板
３３：底板
３４：背板
３５：仕切板
５：外引出し
５１：右側板
５２：左側板
５３：底板
５４：背板
５５：前板
５６：ギャラリーバー
７：内引出し
９：支持具
９１：支持部
９１１ａ：後方側支持部
９１１ｂ：前方側支持部
９１１ｃ：凹部
９１１ｄ：前方側上辺
９１１ｅ：上昇上辺
９１２：スリット
Ｎ１、Ｎ２、Ｎ３、Ｎ４：鍋蓋
Ｎ１ａ、Ｎ２ａ、Ｎ３ａ、Ｎ４ａ：摘み部
ＦＣ：キッチン用フロアキャビネット
Ｓ：スペース
【図１】
2016067472.tif 000003
【図２】
2016067472.tif 000004
【図３】
2016067472.tif 000005
【図４】
2016067472.tif 000006
【図５】
2016067472.tif 000007